【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
粒状ホットメルト接着剤を接着剤供給源から接着剤メルターまで移動させる給送装置であって、
入口と、出口と、前記入口及び前記出口と連通する内部とを有する本体であって、前記入口は、前記接着剤供給源の出口から粒状ホットメルト接着剤を受け入れるように構成され、前記出口は、粒状ホットメルト接着剤を前記接着剤メルターの入口に提供するように構成される、本体と、
前記粒状ホットメルト接着剤を前記出口に向かう流れ方向に付勢し、前記内部に位置決めされている機械攪拌機と、
を備える、給送装置。
【請求項２】
前記機械攪拌機は、中央ハブと半径方向に延出する羽根とを有するインペラーであり、前記インペラーは前記内部において回転可能である、請求項１に記載の給送装置。
【請求項３】
前記本体は、第１の端とベース面とを有する主要部分を更に備え、前記入口は前記第１の端に隣接しており、前記インペラーは前記ベース面に隣接している、請求項２に記載の給送装置。
【請求項４】
前記本体に動作可能に結合していると共に、前記出口を通る前記粒状ホットメルト接着剤の流量を調整するように構成される流量調整部材を更に備える、請求項３に記載の給送装置。
【請求項５】
前記給送装置は、前記機械攪拌機を作動させるように且つ前記出口を第１の位置と第２の位置との間で移動させるように構成される駆動機構を更に備え、前記第１の位置は、前記粒状ホットメルト接着剤を前記接着剤メルターへ給送するようになっている、請求項１に記載の給送装置。
【請求項６】
大量の粒状ホットメルト接着剤を収容する接着剤供給源と、前記粒状ホットメルト接着剤を加熱及び溶融して液体ホットメルト接着剤にする接着剤メルターとの間で、前記粒状ホットメルト接着剤を移動させる方法であって、
前記粒状ホットメルト接着剤を前記接着剤供給源から給送装置の入口へ導入することと、
前記給送装置の出口に向かい且つ前記給送装置の出口を通る給送方向に前記粒状ホットメルト接着剤を移動させるように、前記給送装置内の機械攪拌機を作動させることと、
前記粒状ホットメルト接着剤を前記出口から前記接着剤メルターへ方向付けることと、
を含む、方法。
【請求項７】
前記機械攪拌機は、羽根を含むインペラーであり、
機械攪拌機を作動させることは、前記羽根が前記粒状ホットメルト接着剤に接触して前記給送方向に移動するように、前記インペラーを回転させることを更に含む、請求項６に記載の方法。
【請求項８】
前記粒状ホットメルト接着剤を前記接着剤メルターに移動させる前に、前記接着剤メルターの前記入口に隣接した第１の位置へ前記給送装置の前記出口を移動させることを更に含む、請求項６に記載の方法。
【請求項９】
前記粒状ホットメルト接着剤を前記接着剤メルターに方向付けた後に、前記接着剤メルターの前記入口から離れた第２の位置へ前記給送装置の前記出口を移動させることを更に含む、請求項６に記載の方法。
【請求項１０】
前記接着剤供給源、前記給送装置、及び前記接着剤メルターは、ハウジング構造体内に配置されており、排気筒が前記接着剤供給源と前記接着剤メルターとの間に位置付けられており、前記方法は、前記排気筒を用いて前記接着剤メルターからの熱を前記ハウジング構造体の外に方向付けることを更に含む、請求項６に記載の方法。
【請求項１１】
前記ハウジング構造体は、前記接着剤メルターによって加熱される被加熱領域と、非加熱領域とを含み、前記方法は、前記粒状ホットメルト接着剤が前記接着剤メルターへ方向付けられるまで前記粒状ホットメルト接着剤材料を前記非加熱領域内で維持することを更に含む、請求項１０に記載の方法。
【請求項１２】
ホットメルト接着剤システムであって、
大量の粒状ホットメルト接着剤を収容するように構成されると共に出口を有する、接着剤供給源と、
前記粒状ホットメルト接着剤を液体ホットメルト接着剤に溶融するように構成されると共に、入口を有する接着剤メルターと、
前記粒状ホットメルト接着剤を前記接着剤供給源から前記接着剤メルターへ方向付けることができる第１の位置と、粒状ホットメルト接着剤を前記接着剤メルターへ方向付けることができない第２の位置との間で移動するように構成される給送装置であって、前記給送装置は、入口と、出口と、前記入口及び前記出口と連通する内部とを有する本体を備え、前記入口は、前記接着剤供給源の前記出口から粒状ホットメルト接着剤を受け入れるように構成され、前記出口は、前記第１の位置において粒状ホットメルト接着剤を前記接着剤メルターの前記入口に提供するように構成される、給送装置と、
を備える、ホットメルト接着剤システム。
【請求項１３】
前記給送装置は、前記接着剤供給源と前記接着剤メルターとの間に物理的な熱分離をもたらす、請求項１２に記載のホットメルト接着剤システム。
【請求項１４】
前記接着剤メルターと前記給送装置との間に空隙が設けられており、前記空隙は、前記接着剤メルターを前記給送装置及び前記接着剤供給源から熱的に分離する、請求項１２に記載のホットメルト接着剤システム。
【請求項１５】
前記給送装置の前記内部は、前記接着剤メルターの前記入口の真上の位置からずれている、請求項１４に記載のホットメルト接着剤システム。
【請求項１６】
前記給送装置は、前記粒状ホットメルト接着剤を前記出口に向かう流れ方向に付勢すると共に前記内部に位置付けられた機械攪拌機を更に備える、請求項１２に記載のホットメルト接着剤システム。
【請求項１７】
前記機械攪拌機は、中央ハブと半径方向に延出する羽根とを有するインペラーであり、前記インペラーは、前記内部において回転可能である、請求項１６に記載のホットメルト接着剤システム。
【請求項１８】
ホットメルト接着剤システムであって、
ハウジング構造体と、
前記ハウジング構造体内に配置されると共に、大量の粒状ホットメルト接着剤を収容するように構成される接着剤供給源と、
前記ハウジング構造体内に配置されると共に、前記粒状ホットメルト接着剤を液体ホットメルト接着剤に溶融するように構成される、接着剤メルターであって、前記接着剤供給源及び前記接着剤メルターは、前記接着剤供給源内の粒状接着剤が前記接着剤メルターの動作中に溶融されない状態を保つように、互いから熱的に隔離される、接着剤メルターと、
粒状ホットメルト接着剤を前記接着剤供給源から前記接着剤メルターへ断続的に方向付けるように構成される給送装置と、
を備える、ホットメルト接着剤システム。
【請求項１９】
前記給送装置は、前記接着剤供給源と前記接着剤メルターとの間に物理的な熱分離をもたらす、請求項１８に記載のホットメルト接着剤システム。
【請求項２０】
前記給送装置は機械攪拌機を更に備える、請求項１９に記載のホットメルト接着剤システム。
【請求項２１】
前記接着剤メルターと前記給送装置との間に空隙が設けられており、前記空隙は、前記接着剤メルターを前記給送装置及び前記接着剤供給源から熱的に分離する、請求項１８に記載のホットメルト接着剤システム。
【請求項２２】
前記給送装置は、前記供給源から粒状接着剤を受け入れる内部を備え、前記メルターは入口を備え、前記内部は、前記接着剤メルターの前記入口の真上の位置からずれている、請求項２１に記載のホットメルト接着剤システム。
【請求項２３】
前記ホットメルト接着剤システムは、前記接着剤供給源と前記接着剤メルターとの間に位置付けられる排気筒を更に備え、前記排気筒は、前記接着剤メルターからの熱を前記ハウジング構造体の外に方向付けるように構成される、請求項１８に記載のホットメルト接着剤システム。
【請求項２４】
前記排気筒は、下側排気筒パネルと、上側排気筒パネルと、前記下側排気筒パネルと前記上側排気筒パネルとの間に規定される排気筒空隙とを含み、前記下側排気筒パネルは、前記上側排気筒パネルと前記接着剤メルターとの間に位置決めされている、請求項２３に記載のホットメルト接着剤システム。
【請求項２５】
前記ハウジング構造体は通気開口部を含み、前記排気筒は熱を前記通気開口部の外に方向付けるように構成される、請求項２３に記載のホットメルト接着剤システム。
【請求項２６】
前記ハウジング構造体は、前記接着剤メルターによって加熱される被加熱領域と、非加熱領域とを含み、前記接着剤供給源は前記非加熱領域内に位置決めされている、請求項１８に記載のホットメルト接着剤システム。
【請求項２７】
前記給送装置は、前記被加熱領域と前記非加熱領域との間の境界を規定する、請求項２６に記載のホットメルト接着剤システム。
【請求項２８】
前記給送装置は、前記非加熱領域内に位置決めされている、請求項２７に記載のホットメルト接着剤システム。